(57)【要約】【課題】独自にネットワークの最適化を実行する場合にもシステム全体の特性を最適化できる無線通信システム、無線局、ネットワーク運用管理装置およびネットワーク最適化方法を提供する。【解決手段】無線通信システムは、複数の無線局（１０，２０，３０）と無線局を管理するネットワーク運用管理装置とを有しネットワーク最適化を自律的に行う。第１の無線局（１０）が当該第１の無線局のセル（１０ａ）におけるネットワーク最適化に関する第１の最適化情報を第１の無線局とは別の第２の無線局（２０／３０）又は第２の無線局を管理するネットワーク装置の少なくとも１つへ通知する（１０１）。【選択図】図５
2013136812.tif 000002
【特許請求の範囲】
【請求項１】
複数の無線局と前記無線局を管理するネットワーク運用管理装置とを有し、ネットワーク最適化を行う無線通信システムであって、
第１の無線局が、当該第１の無線局のセルにおけるネットワーク最適化に関する第１の最適化情報を前記第１の無線局とは別の第２の無線局、前記第２の無線局を管理するネットワーク運用管理装置の少なくとも１つへ通知する、ことを特徴とする無線通信システム。
【請求項２】
前記第２の無線局又は前記ネットワーク運用管理装置が前記第１の無線局に対して前記第１の最適化情報の通知を要求し、当該通知要求に応じて、前記第１の無線局が前記第１の最適化情報を前記第２の無線局又は前記ネットワーク運用管理装置へ通知する、ことを特徴とする請求項１に記載の無線通信システム。
【請求項３】
前記通知要求には当該通知の条件が含まれ、この条件が、要求に応じて、周期的に、所定イベントをトリガとして、の少なくともいずれか１つである、ことを特徴とする請求項２に記載の無線通信システム。
【請求項４】
前記第１の最適化情報は、ネットワーク最適化の種類に関する情報を含むことを特徴とする請求項１−３のいずれか１項に記載の無線通信システム。
【請求項５】
前記ネットワーク最適化の種類は、カバレッジ最適化、容量最適化、カバレッジ及び容量の最適化、ハンドオーバ最適化、負荷分散の最適化、セルアウテージ補償、省電力化制御、ランダムアクセス最適化、隣接セルリスト最適化、セルＩＤ自動設定、セル間干渉低減、の少なくとも１つであることを特徴とする請求項４に記載の無線通信システム。
【請求項６】
前記第１の最適化情報には、前記第１の無線局のセルにおけるネットワーク最適化の実行状況に関する情報が含まれる、ことを特徴とする請求項１−５のいずれか１項に記載の無線通信システム。
【請求項７】
前記第１の最適化情報は、ネットワーク最適化の目的に関する情報を含むことを特徴とする請求項１−６のいずれか１項に記載の無線通信システム。
【請求項８】
前記ネットワーク最適化の目的は、特定の隣接セルに対するハンドオーバの最適化、複数の隣接セルに対するハンドオーバの最適化、隣接セルへのオフローディング、隣接セルからのオフローディング、カバレッジ最大化、カバレッジ拡大、カバレッジ縮小、不感地の解消、セル間干渉対策、および、部分的周波数再利用の少なくとも１つであることを特徴とする請求項７に記載の無線通信システム。
【請求項９】
前記第１の最適化情報はネットワーク最適化の制御ポリシに関する情報を含むことを特徴とする請求項１−８のいずれか１項に記載の無線通信システム。
【請求項１０】
前記ネットワーク最適化の制御ポリシに関する情報は、長周期の最適化、短周期の最適化、所定の条件を満足したことをトリガとする最適化の少なくとも１つを含むことを特徴とする請求項９に記載の無線通信システム。
【請求項１１】
前記ネットワーク最適化の制御ポリシに関する情報は、複数のネットワーク最適化の種類の間の優先順位、各ネットワーク最適化の種類の優先度あるいは各ネットワーク最適化の種類の重要度、最適化モード、の少なくとも１つを含むことを特徴とする請求項９または１０に記載の無線通信システム。
【請求項１２】
前記第１の最適化情報は、ネットワーク最適化の実行タイミングに関する情報を含むことを特徴とする請求項１−１１のいずれか１項に記載の無線通信システム。
【請求項１３】
前記ネットワーク最適化の実行タイミングに関する情報は、ネットワーク最適化を実行した実行時刻、ネットワーク最適化を実行する実行予定時刻、ネットワーク最適化を行うタイミングを示す情報、ネットワーク最適化の周期の少なくとも１つを含むことを特徴とする請求項１２に記載の無線通信システム。
【請求項１４】
前記第１の最適化情報は最適化対象の無線パラメータやネットワークパラメータを含む請求項１−１３のいずれか１項に記載の無線通信システム。
【請求項１５】
前記第２の無線局は、前記第１の無線局から受信した前記第１の最適化情報を考慮して、自局のセルにおけるネットワーク最適化の実行を制御する、ことを特徴とする請求項１−１４のいずれか１項に記載の無線通信システム。
【請求項１６】
前記第１の無線局と前記第２の無線局とがそれぞれ異なるネットワーク運用管理装置により管理され、当該異なるネットワーク運用管理装置間で、前記第１の最適化情報又は前記第２の最適化情報を通信することを特徴とする請求項１−１５のいずれか１項に記載の無線通信システム。
【請求項１７】
前記無線局が、無線基地局、基地局制御局あるいはネットワーク装置のいずれかであることを特徴とする請求項１−１６のいずれか１項に記載の無線通信システム。
【請求項１８】
複数の無線局と前記無線局を管理するネットワーク運用管理装置とを有しネットワーク最適化を行う無線通信システムにおける無線局であって、
自無線局のセルにおけるネットワーク最適化を実行するための最適化手段と、
前記ネットワーク最適化に関する最適化情報を他の無線局、自無線局を管理するネットワーク運用管理装置、前記他の無線局を管理するネットワーク運用管理装置の少なくとも１つへ通知する通知制御手段と、
を有することを特徴とする無線局。
【請求項１９】
前記通知制御手段は、前記他の無線局、前記自無線局を管理するネットワーク運用管理装置、前記他の無線局を管理するネットワーク運用管理装置のいずれかから前記最適化情報の通知要求を受けると、当該通知要求に応じて、少なくとも当該通知要求の送信元へ前記最適化情報を通知する、ことを特徴とする請求項１８に記載の無線局。
【請求項２０】
前記最適化情報は、ネットワーク最適化の種類に関する情報を含むことを特徴とする請求項１８または１９に記載の無線局。
【請求項２１】
前記ネットワーク最適化の種類は、カバレッジ最適化、容量最適化、カバレッジ及び容量の最適化、ハンドオーバ最適化、負荷分散の最適化、セルアウテージ補償、省電力化制御、ランダムアクセス最適化、隣接セルリスト最適化、セルＩＤ自動設定、セル間干渉低減、の少なくとも１つであることを特徴とする請求項２０に記載の無線局。
【請求項２２】
前記最適化情報には、当該無線局のセルにおけるネットワーク最適化の実行状況に関する情報が含まれる、ことを特徴とする請求項１８−２１のいずれか１項に記載の無線局。
【請求項２３】
前記最適化情報は、ネットワーク最適化の目的に関する情報を含むことを特徴とする請求項１８−２２のいずれか１項に記載の無線局。
【請求項２４】
前記ネットワーク最適化の目的は、特定の隣接セルに対するハンドオーバの最適化、複数の隣接セルに対するハンドオーバの最適化、隣接セルへのオフローディング、隣接セルからのオフローディング、カバレッジ最大化、カバレッジ拡大、カバレッジ縮小、不感地の解消、セル間干渉対策、および、部分的周波数再利用のいずれかであることを特徴とする請求項２３に記載の無線局。
【請求項２５】
前記最適化情報はネットワーク最適化の制御ポリシに関する情報を含むことを特徴とする請求項１８−２４のいずれか１項に記載の無線局。
【請求項２６】
前記最適化情報は、ネットワーク最適化の実行タイミングに関する情報を含むことを特徴とする請求項１８−２５のいずれか１項に記載の無線局。
【請求項２７】
前記最適化情報は最適化対象の無線パラメータやネットワークパラメータを含む請求項１８〜２６のいずれか１項に記載の無線局。
【請求項２８】
複数の無線局と前記無線局を管理するネットワーク運用管理装置とを有しネットワーク最適化を行う無線通信システムにおける無線局であって、
自無線局とは別の無線局から当該別の無線局のセルにおけるネットワーク最適化に関する最適化情報を受信する通信手段と、
自無線局のセルにおけるネットワーク最適化を実行する最適化制御手段と、
を有することを特徴とする無線局。
【請求項２９】
前記通信手段は、前記別の無線局又は前記別の無線局を管理するネットワーク運用管理装置へ前記最適化情報の通知を要求し、当該通知要求に応じて前記最適化情報を受信する、ことを特徴とする請求項２８に記載の無線局。
【請求項３０】
前記通知要求には当該通知の条件が含まれ、この条件が、要求に応じて、周期的に、所定イベントをトリガとして、の少なくともいずれか１つである、ことを特徴とする請求項２９に記載の無線局。
【請求項３１】
前記最適化情報は、ネットワーク最適化の種類に関する情報を含むことを特徴とする請求項２８−３０のいずれか１項に記載の無線局。
【請求項３２】
前記ネットワーク最適化の種類は、カバレッジ最適化、容量最適化、カバレッジ及び容量の最適化、ハンドオーバ最適化、負荷分散の最適化、セルアウテージ補償、省電力化制御、ランダムアクセス最適化、隣接セルリスト最適化、セルＩＤ自動設定、セル間干渉低減、の少なくとも１つであることを特徴とする請求項３１に記載の無線局。
【請求項３３】
前記最適化情報には、当該無線局のセルにおけるネットワーク最適化の実行状況に関する情報が含まれる、ことを特徴とする請求項２８−３２のいずれか１項に記載の無線局。
【請求項３４】
前記最適化情報は、ネットワーク最適化の目的に関する情報を含むことを特徴とする請求項２８−３３のいずれか１項に記載の無線局。
【請求項３５】
前記ネットワーク最適化の目的は、特定の隣接セルに対するハンドオーバの最適化、複数の隣接セルに対するハンドオーバの最適化、隣接セルへのオフローディング、隣接セルからのオフローディング、カバレッジ最大化、カバレッジ拡大、カバレッジ縮小、不感地の解消、セル間干渉対策、および、部分的周波数再利用のいずれかであることを特徴とする請求項３４に記載の無線局。
【請求項３６】
前記最適化情報はネットワーク最適化の制御ポリシに関する情報を含むことを特徴とする請求項２８−３５のいずれか１項に記載の無線局。
【請求項３７】
前記最適化情報は、ネットワーク最適化の実行タイミングに関する情報を含むことを特徴とする請求項２８−３６のいずれか１項に記載の無線局。
【請求項３８】
前記最適化情報は最適化対象の無線パラメータやネットワークパラメータを含む請求項２８−３７のいずれか１項に記載の無線局。
【請求項３９】
前記最適化制御手段は、前記別の無線局から受信した前記最適化情報を考慮して、自無線局のセルにおけるネットワーク最適化を実行する、ことを特徴とする請求項２８−３８のいずれか１項に記載の無線局。
【請求項４０】
複数の無線局からなるネットワークの最適化を行う無線通信システムにおけるネットワーク運用管理装置であって、
少なくとも第１の無線局における通信状態を監視するネットワーク監視手段と、
第１の無線局のセルにおけるネットワーク最適化に関する第１の最適化情報を通信する通信手段と、
少なくとも前記第１の無線局における前記ネットワーク最適化を制御する最適化制御手段と、
を有することを特徴とするネットワーク運用管理装置。
【請求項４１】
前記第１の最適化情報を、前記第１の無線局、前記第１の無線局とは別の第２の無線局、他のネットワーク運用管理装置の少なくとも１つへ通知する、ことを特徴とする請求項４０に記載のネットワーク運用管理装置。
【請求項４２】
最適化制御手段は前記第１の最適化情報に基づいてネットワーク最適化のための無線パラメータ又はネットワークパラメータを決定し、前記パラメータを制御情報として前記第２の無線局へ通知する、ことを特徴とする請求項４０又は４１に記載のネットワーク運用管理装置。
【請求項４３】
複数の無線局と前記無線局を管理するネットワーク運用管理装置とを有し、ネットワーク最適化を行う無線通信システムにおけるネットワーク最適化方法であって、
第１の無線局が、当該第１の無線局のセルにおけるネットワーク最適化に関する第１の最適化情報を、前記第１の無線局とは別の第２の無線局、自無線局を管理するネットワーク運用管理装置、前記第２の無線局を管理するネットワーク運用管理装置の少なくとも１つへ通知する、
ことを特徴とするネットワーク最適化方法。
【発明の詳細な説明】
【技術分野】
【０００１】
本発明は無線通信システムに係り、特にネットワーク最適化を行う機能を有する無線局、ネットワーク運用管理装置および無線通信システム、並びにネットワーク最適化方法に関する。
【背景技術】
【０００２】
近年、オペレーションコスト（ＯＰＥＸ）削減の観点などから、セルラシステムなどの無線通信システムにおける無線パラメータやネットワーク設定の最適化を自律的に行うＳＯＮ（Self Organizing Network）の検討が盛んに行われている。３ＧＰＰ  ＬＴＥ（Long Term Evolution）においてもＳＯＮ機能の標準化が行われている（非特許文献１）。【０００３】
ＳＯＮには、
・自己構成（Self-Configuration）
・自己最適化（Self-Optimization）
・自己修復（Self-Healing）
などの機能があり、それぞれ異なった目的を達成するための技術である。この中で自己最適化の種類としては、セルのカバレッジ最適化や容量（キャパシティ）の最適化（Coverage and Capacity Optimization:ＣＣＯ）、ハンドオーバパラメータの最適化（Mobility Robustness Optimization:ＭＲＯ）、負荷分散の最適化（Mobility Load Balancing：ＭＬＢ）などがある（非特許文献２）。【０００４】
以下、３ＧＰＰ  ＬＴＥの無線通信システムを一例として自己最適化機能について簡単に説明する。なお、無線基地局（enhanced Node B）はｅＮＢと略記する。【０００５】
図１に示すように、マクロセル（Macro cell）１ａおよび２ａをそれぞれ管理するマクロｅＮＢ（Macro eNB: MeNB）１および２と、ピコセル（Pico cell）３ａを管理するピコｅＮＢ（Pico eNB: PeNB）３とが存在し、ＭｅＮＢ１および２がベンダＡにより提供され、ＰｅＮＢ３がベンダＢにより提供されているものとする。さらに、ＭｅＮＢ１および２はベンダＡのＳＯＮサーバＡ（SON server A）で管理され、ＰｅＮＢ３はベンダＢのＳＯＮサーバＢ（SON server B）で管理されているものとする。自己最適化アルゴリズムの実行や各種パラメータの決定は、当該自己最適化の目的に応じて、各無線基地局あるいはそれを管理するＳＯＮサーバにおいて行われる。【０００６】
たとえば、ＳＯＮサーバＡで、マクロセル１とマクロセル２との間のハンドオーバに関するハンドオーバパラメータの最適化（ＭＲＯ）を行う場合、このハンドオーバパラメータは、マクロセル１からマクロセル２への（およびその反対方向への）ハンドオーバ特性の統計値（例えば、ハンドオーバ失敗率、ハンドオーバ失敗数）などを考慮して決定され、これにより当該マクロセル間のハンドオーバ特性が改善される。【０００７】
一方、ＳＯＮサーバＡにおけるＭＲＯの実行とは独立して、ＳＯＮサーバＢでピコセル３ａの負荷分散の最適化（ＭＬＢ）を行う場合には、ＳＯＮサーバＢは、例えばピコセル３ａの負荷状況（例えば、トラフィック量、ＰｅＮＢのハードウェア使用率）などを考慮して、ピコセル３ａから隣接セルへのハンドオーバパラメータを決定する。これにより、ピコセル３ａへの負荷の集中を回避でき、あるいはシステム全体の特性（例えば、システムスループット）を改善する為のピコセル３ａへのオフロードの効果を高めることができる。【０００８】
以上のように、ネットワークが自律的に最適化を行うことで、オペレータが手動で無線パラメータやネットワークパラメータを調整するコスト（ＯＰＥＸ）を大きく削減することができる。
【先行技術文献】
【非特許文献】
【０００９】
【非特許文献１】３ＧＰＰ  ＴＳ３６．３００ ｖ１０．５．０、  ｓｅｃｔｉｏｎ  ２２（インターネット＜ＵＲＬ＞ｈｔｔｐ：ｗｗｗ．３ｇｐｐ．ｏｒｇ／ｆｔｐ／Ｓｐｅｃｓ／ｈｔｍｌ−ｉｎｆｏ／３６３００．ｈｔｍ）
【非特許文献２】３ＧＰＰ  ＴＲ３６．９０２ ｖ９．３．０  （インターネット＜ＵＲＬ＞ｈｔｔｐ：ｗｗｗ．３ｇｐｐ．ｏｒｇ／ｆｔｐ／Ｓｐｅｃｓ／ｈｔｍｌ−ｉｎｆｏ／３６９０２．ｈｔｍ）
【発明の概要】
【発明が解決しようとする課題】
【００１０】
しかしながら、上述したようなネットワークの自己最適化技術では、ＳＯＮサーバが管理するセル（及び当該セル間）で実行されるのであり、その際、管理外のセルの状況については特に考慮されていない。したがって、あるＳＯＮサーバにより実行された最適化が他のセルへどのように影響するかについても考慮されない。このことはベンダが異なる場合に顕著である。【００１１】
たとえばベンダＡのＳＯＮサーバＡが、マクロセル１ａからベンダＢのピコセル３ａへのハンドオーバパラメータの最適化（ＭＲＯ）を実行し、ベンダＢのＳＯＮサーバＢがピコセル３ａの負荷分散の最適化（ＭＬＢ）を実行する場合を想定する。たとえば、ＳＯＮサーバＡでは、当該ハンドオーバ特性の統計値を基に、マクロセル１ａからピコセル３ａへのハンドオーバを促進させるようにハンドオーバパラメータの更新が決定される。ＳＯＮサーバＢでは、逆に、ピコセル３ａの負荷状況を基に、ピコセル３ａからマクロセル１ａへのハンドオーバを促進させてピコセル３ａの負荷を低減するようにハンドオーバパラメータの更新が決定される。つまり、各ベンダのＳＯＮサーバが、同一のセルペア（マクロセル１ａとピコセル３ａ）に対して全く正反対の制御を行おうと決定する場合が生じる。この結果、ベンダ間で自己最適化の方針に不整合が生じ、マクロセル１ａにおけるハンドオーバパラメータの自己最適化も、ピコセル３ａにおけるハンドオーバパラメータの自己最適化も、共に期待する効果を得られないという状況に陥る。すなわち、システム特性の観点から見た最適化が達成されない。【００１２】
そこで、本発明の目的は、独自にネットワークの最適化を実行する場合にもシステム全体の特性を最適化できる無線通信システム、無線局、ネットワーク運用管理装置およびネットワーク最適化方法を提供することにある。
【課題を解決するための手段】
【００１３】
本発明による無線通信システムは、複数の無線局と前記無線局を管理するネットワーク運用管理装置とを有し、ネットワーク最適化を行う無線通信システムであって、第１の無線局が、当該第１の無線局のセルにおけるネットワーク最適化に関する第１の最適化情報を前記第１の無線局とは別の第２の無線局、前記第２の無線局を管理するネットワーク運用管理装置の少なくとも１つへ通知する、ことを特徴とする。【００１４】
本発明による無線局は、複数の無線局と前記無線局を管理するネットワーク運用管理装置とを有しネットワーク最適化を行う無線通信システムにおける無線局であって、自無線局のセルにおけるネットワーク最適化を実行するための最適化手段と、前記ネットワーク最適化に関する最適化情報を他の無線局、他の無線局を管理するネットワーク運用管理装置の少なくとも１つへ通知する通知制御手段と、を有することを特徴とする。
また、本発明による無線局は、複数の無線局と前記無線局を管理するネットワーク運用管理装置とを有しネットワーク最適化を行う無線通信システムにおける無線局であって、自無線局とは別の無線局から当該別の無線局のセルにおけるネットワーク最適化に関する最適化情報を受信する通信手段と、自無線局のセルにおけるネットワーク最適化を実行する最適化制御手段と、を有することを特徴とする。【００１５】
本発明によるネットワーク運用管理装置は、複数の無線局からなるネットワークの最適化を行う無線通信システムにおけるネットワーク運用管理装置であって、第１の無線局から当該第１の無線局のセルにおけるネットワーク最適化に関する第１の最適化情報を受信するネットワーク監視手段と、前記第１の最適化情報を前記第１の無線局とは別の第２の無線局、又は別のネットワーク運用管理装置へ通知する通知制御手段と、前記第１の無線局又は前記第２の無線局における前記ネットワーク最適化を実行する最適化制御手段と、を有することを特徴とする。【００１６】
本発明によるネットワーク最適化方法は、複数の無線局と前記無線局を管理するネットワーク運用管理装置とを有し、ネットワーク最適化を行う無線通信システムにおけるネットワーク最適化方法であって、第１の無線局が当該第１の無線局のセルにおけるネットワーク最適化に関する第１の最適化情報を前記第１の無線局とは別の第２の無線局、又は前記第２の無線局を管理するネットワーク装置の少なくとも１つへ通知する、ことを特徴とする。
【発明の効果】
【００１７】
本発明によれば、独自にネットワークの最適化を実行する場合にもシステム全体の特性を最適化できる。
【図面の簡単な説明】
【００１８】
【図１】図１は既存の無線通信システムにおける自己最適化動作を説明するためのシステム構成図である。
【図２】図２は本発明による無線通信ステムの概略を説明するためのシステム構成図である。
【図３】図３は本発明の実施例によるネットワーク最適化方法が適用される無線局の機能的構成を示すブロック図である。
【図４】図４は本発明の実施例によるネットワーク最適化方法が適用されるネットワーク運用管理装置の機能的構成を示すブロック図である。
【図５】図５は本発明の第１実施形態による無線通信システムの動作例を示すシーケンス図である。
【図６】図６は本発明の第２実施形態による無線通信システムの動作例を示すシーケンス図である。
【図７】図７は本発明の第３実施形態による無線通信システムの動作例を示すシーケンス図である。
【図８】図８は本発明による無線通信システムの一例である３ＧＰＰ  ＬＴＥシステムの概略を説明するためのシステム構成図である。
【図９】図９は本発明の第１実施例による無線通信システムの動作例を示すシーケンス図である。
【図１０】図１０は本発明の第２実施例による無線通信システムの動作例を示すシーケンス図である。
【図１１】図１１は本発明の第３実施例による無線通信システムの動作例を示すシーケンス図である。
【図１２】図１２は本発明の第４実施例による無線通信システムの動作例を示すシーケンス図である。
【発明を実施するための形態】
【００１９】
１．本発明の実施形態の概略
本発明の実施形態によれば、ネットワーク運用管理装置により管理される複数の無線局を有しネットワーク最適化を行う無線通信システムにおいて、無線局が当該無線局のセル（つまり、無線局が管理するセル）のネットワーク最適化に関する情報である最適化情報を別の無線局へ通知する。これにより無線局間で他方の無線局の最適化情報を知ることができ、独自にネットワークの最適化を実行する場合に起こりうるシステム全体の特性劣化を回避することが可能となる。以下、本発明の概略的構成を説明する。
【００２０】
図２に例示する無線通信システムは、セル１０ａ、２０ａおよび３０ａをそれぞれ管理する無線局１０、２０および３０と、無線局１０および無線局２０を制御あるいは管理するネットワーク運用管理装置Ａ（ＳＯＮサーバＡ）と、無線局３０を制御あるいは管理するネットワーク運用管理装置Ｂ（ＳＯＮサーバＢ）と、から構成されているものとする。セル１０ａ、２０ａおよび３０ａは互いに影響を及ぼしうる程度の近傍に配置されていればよく、必ずしも互いのエッジが接している必要はない。
【００２１】
図２における各無線局は、１つのセルを直接制御する無線基地局だけでなく、複数の無線基地局（従って複数のセル）を制御あるいは管理する上位ネットワーク装置をも含んでもよい。たとえば、無線局として、無線基地局、基地局制御局あるいはコアネットワークなどの他のネットワーク装置などが考えられる。またネットワーク運用管理装置はＳＯＮサーバあるいはＯｐｅｒａｔｉｏｎ  ａｎｄ  Ｍａｎａｇｅｍｅｎｔ：Ｏ＆Ｍサーバとも呼ばれる。また、その他に上位ネットワーク装置が設けられ、各無線局は上位ネットワーク装置を介して互いに通信可能に接続されてもよい。無線局間はより高速のインタフェースで直接接続することもできる。ここで、高速とは物理的に他のインタフェースよりも高速な回線であってもよいし、処理が簡易又は通信周期が短い等の理由により制御遅延が小さいという意味での高速であってもよい。無線局が、無線局間のインタフェースを介して、ネットワーク最適化に関する情報を通知することで、上位ネットワーク装置を介して通知する場合と比べて、ネットワークの自己最適化に起因するシステムの特性劣化の回避効果が高まる。ネットワークの自己最適化に起因するシステムの特性劣化が発生した場合、情報の通知に要する時間が長くなる程、特性劣化が進行する。よって、無線局が、無線局間の高速インタフェースを介して情報を通知することで、特性劣化の回避効果が大きくなる。
【００２２】
図３において、無線局は、無線局１０は、無線端末４０から無線信号を受信する無線受信器１１と、受信信号を復調する復調部１２と、復調した情報や制御情報を上位ネットワークや他の無線局へ送信する送信部１３と、上位ネットワークあるいは他の無線局からの信号を受信する受信部１４と、上位ネットワークから受信した信号を基に制御を行う制御部１５と、無線端末４０へ送信するデータや制御情報から送信信号を生成する信号生成部１６と、無線端末４０へ無線信号を送信する無線送信器１７と、を有する。さらに、最適化部１８は、無線端末からの信号の復調結果（例えば、測定情報）や通信統計品質（ＫＰＩ）を基に無線パラメータやネットワークパラメータの最適化を行い、他の無線局へ自局の最適化情報を通知する。なお、無線局２０および３０も基本的に同じ機能構成を有する。また、制御部１３および最適化部１８はソフトウエアにより種々の機能を実現するＣＰＵ(Central Processing Unit)等のプログラム制御プロセッサであってもよい。
【００２３】
図４において、ネットワーク運用管理装置（ＳＯＮサーバ）５０Ａは、無線局や上位ネットワークからの信号を受信する受信部５１と、受信信号に含まれる情報（例えば、無線局によるサービス品質の測定結果やサービス品質に関する情報であるネットワーク測定情報）を保存したり通信統計品質（ＫＰＩ）を算出したりするネットワーク監視部５２と、ネットワーク測定情報やＫＰＩの情報を基に無線局における無線パラメータやネットワークパラメータの最適化を行う最適化制御部５３と、無線局や上位ネットワークへ最適化の指示などの信号を送信する送信部５４と、を有する。なお、他のネットワーク運用管理装置（ＳＯＮサーバ）５０Ｂも同様の機能構成を有する。
【００２４】
また、無線端末４０は、無線局（例えば無線基地局）からの無線信号を受信する無線受信器４１と、当該無線信号を復調する復調部４２と、復調結果を基に制御を行う制御部４３と、受信信号に対して測定を行う測定部４４と、データや制御情報から信号を生成する信号生成部４５と、無線局へ信号を送信する無線送信器４６とを有する。なお、図３および図４に示す構成は一例であり、これらに限定されるものではない。以下、本発明の実施形態および実施例について図面を参照しながら詳細に説明する。
【００２５】
２．実施形態
２．１）第１実施形態
図５に示すように、本発明の第１実施形態によれば、無線局１０が当該無線局１０のセル１０ａにおけるネットワーク最適化に関する情報（第１の最適化情報）を別の無線局２０および／または３０へ通知する（動作１０１）。これにより無線局２０、３０の最適化部１８は、無線局１０の最適化情報（第１の最適化情報）を知ることができ、独自にネットワークの自己最適化を実行する際にシステム全体の特性劣化を回避することが可能となる。同様に、他の無線局２０または３０が当該無線局のセル２０ａまたは３０ａにおけるネットワーク最適化に関する情報（第２の最適化情報）を無線局１０へ通知してもよい（動作１０２）。
【００２６】
２．２）第２実施形態
図６に示すように、本発明の第２実施形態によれば、無線局１０が他の無線局２０および／または３０にそれらのセル（例えば、セル２０ａやセル３０ａ）におけるネットワーク最適化に関する情報（第２の最適化情報）を要求する（動作２０１）。これに応じて、他の無線局２０および／または３０は、無線局１０へ第２の最適化情報を通知する（動作２０２）。第２の最適化情報を受信した無線局１０の最適化部１８は、当該第２の最適化情報を基に、セル１０ａにおけるネットワーク最適化を実行する。尚、動作２０１での第２の最適化情報の要求は、オンデマンド（つまり、要求毎の通知）でも良いし、周期的報告の要求（つまり、ある時点の要求に対して周期的に複数回通知）でも良い。
【００２７】
２．３）第３実施形態
図７に示すように、本発明の第３実施形態によれば、無線局１０が他の無線局２０および／または３０に対して、インベトトリガによる第２の最適化情報の通知を要求し（動作３０１）、この要求に応じて、当該他の無線局が所定のイベントが発生した時又は発生後（動作３０２）に自局の第２の最適化情報を無線局１０へ通知する（動作３０３）。イベントは予め規定されていても良いし、無線局１０が通知（つまり、指定）しても良い。さらに、イベント発生後から所定周期で周期的に通知するようにしても良い。
【００２８】
２．４）その他の実施形態
なお、無線局１０は、別の無線局２０あるいは３０から第２の最適化情報を受信した場合、自局を管理するネットワーク運用管理装置（ＳＯＮサーバ）５０Ａに対して、受信した第２の最適化情報などを通知してもよい。ネットワーク運用管理装置（ＳＯＮサーバ）５０Ａは、受信した当該第２の最適化情報などを基にネットワーク最適化アルゴリズムを実行して無線パラメータやネットワークパラメータを決定し、これらパラメータを無線局１０へ返す。無線局１０は、ネットワーク運用管理装置（ＳＯＮサーバ）５０Ａから受信したパラメートを用いてネットワーク最適化を実行することもできる。さらに、ネットワーク運用管理装置が第１の最適化情報や第２の最適化情報を生成し、無線局とネットワーク運用管理装置の間、或は、ネットワーク運用管理装置間で、第１の最適化情報や第２の最適化情報を通知するようにしても良い。
【００２９】
３．最適化情報
３．１）最適化情報が示す実行状況
上述した最適化情報がネットワーク最適化の実行状況を示しても良い。実行状況としては、例えば「実行予定」、「実行中」あるいは「実行完了」が考えられる。
「実行予定」とは、無線局又はネットワーク運用管理装置（ＳＯＮサーバ）が有するネットワーク最適化の種類（機能）において実行する可能性があることを示す。
「実行中」とは、無線局又はネットワーク運用管理装置（ＳＯＮサーバ）において最適化を実行中（つまり、無線パラメータやネットワークパラメータを変更中）、又は、最適化アルゴリズムを実行中（つまり、無線パラメータやネットワークパラメータを変更すべきか否かを判定中、あるいは変更量を算出中）であることを示す。
「実行完了」とは、無線局又はネットワーク運用管理装置（ＳＯＮサーバ）において最適化を完了した（つまり、無線パラメータやネットワークパラメータの変更及び最適化アルゴリズムの実行が完了した）、又は、無線パラメータやネットワークパラメータを更新した（例えば、無線パラメータやネットワークパラメータの変更が完了したが、最適化アルゴリズムは継続して実行中である）ことを示す。
【００３０】
３．２）最適化情報の内容
最適化情報には、
ａ）ネットワーク最適化の種類に関する情報、
ｂ）ネットワーク最適化の目的に関する情報、
ｃ）ネットワーク最適化の制御ポリシに関する情報、
ｄ）最適化対象の無線パラメータやネットワークパラメータ、
ｅ）ネットワーク最適化を実行タイミングに関する情報、
ｆ）無線局の位置情報、
などが含まれる。
ａ）「ネットワーク最適化の種類に関する情報」としては、例えば、
・カバレッジ最適化、
・容量最適化、
・カバレッジ及び／又は容量最適化、
・ハンドオーバ最適化、
・負荷分散の最適化、
・セルアウテージ補償、
・省電力化制御、
・隣接セルリスト最適化、
・セル間干渉低減
などが考えられるが、これらに限定されない。
【００３１】
ｂ）「ネットワーク最適化の目的に関する情報」としては、例えば、
・特定の隣接セルに対するハンドオーバの最適化、
・複数の隣接セルに対するハンドオーバの最適化、
・隣接セルへのオフローディング、
・隣接セルからのオフローディング、
・カバレッジ最大化、
・カバレッジ拡大、
・カバレッジ縮小、
・不感地の解消、
・セル間干渉対策（Inter Cell Interference Coordination: ICIC）、
・部分的周波数再利用（Fractional Frequency Reuse: FFR）、
など、何についての最適化であるかを特定する情報が含まれる。ここで、隣接セルは、物理的に隣接しているセルのみでなく、周辺に存在するセルを含む概念である。また、カバレッジ拡大や縮小は、既知信号（参照信号とも呼ぶ）の送信電力の増大や減少、又は、送信アンテナのチルト角の低減や増加によって実現する方法が考えられる。不感地（受信品質が所定値未満、又は、通信不可能なエリア。圏外エリアとも呼ぶ。）の解消は、セルアウテージが検出されたセルの隣接セルのカバレッジ拡大や、隣接セルへのハンドオーバの促進などによって実現する方法が考えられる。尚、上述のネットワーク最適化の目的に関する情報の項目において、対象とするセルの識別子（セルＩＤ）を付加するようにしても良い。
【００３２】
ｃ）「ネットワーク最適化の制御ポリシに関する情報」としては、例えば、
・長周期の最適化、
・短周期の最適化、
・所定の条件を満足した事をトリガとする最適化、
などの制御の時間的条件が含まれる。ここで、所定の条件とは、例えば、統計品質情報（ＫＰＩ）が所定量（又は、所定割合）だけ劣化した（又は、変化した）、他の無線局からネットワーク最適化に関する最適化情報を受信した、などが考えられる。
さらに、「ネットワーク最適化の制御ポリシに関する情報」には、
・複数のネットワーク最適化の種類の間の優先順位、
・各ネットワーク最適化の種類の優先度、
・各ネットワーク最適化の種類の重要度、
・最適化モード、
などの制御時に考慮されるべき条件が含まれてもよい。ここで、優先順位は、例えば、ネットワーク最適化の種類と共に明示的に示されていても良いし、当該優先順位に従って（つまり、優先順位の降順又は昇順）ネットワーク最適化の種類が示されていても良い。また、最適化モードは、最適化の制御における事業者（オペレータ）による決定（つまり、事業者の方針）が反映されるか否かで区別されるもので、各最適化制御、又は、所定タイミングの最適化制御において事業者が（最終）決定を行う「オープンモード（オープンループとも呼ぶ）」と、事業者が決定を行わない「クローズドモード（クローズドループとも呼ぶ）」のいずれかを示す情報である。例えば、最適化情報を交換した無線局が、お互いにオープンモードであれば、事業者が決定を行う為、お互いに最適化制御を独立に継続しても良いと判定したりすることが考えられる。或は、片方の無線局がオープンモードを通知し、もう一方の無線局がクローズドモードを通知した場合、事業者の決定を優先する為にオープンモード側の最適化制御を優先するように判定しても良いし、反対にオープンモードは事業者が介入する為に問題発見が迅速に行えることを期待してクローズドモード側の最適化制御を継続するように判定しても良い。
【００３３】
ｄ）「ネットワーク最適化の対象とする無線パラメータやネットワークパラメータ」としては、例えば、
・無線局の送信電力、
・無線局のアンテナ角度（チルト（Tilt）やアジマス（Azimuth））、
・無線局で実際に信号を送受信するアンテナ数、
・ハンドオーバ関連パラメータ、
・セル（再）選択関連パラメータ、
・隣接セルリスト、
・共通チャネル送信パラメータ、
・共有チャネル送信パラメータ、
・制御チャネル送信パラメータ、
・セルのＯｎ／Ｏｆｆ切り替え、
などが考えられるが、これらに限定はされない。
【００３４】
ｅ）「ネットワーク最適化を実行タイミングに関する情報」としては、例えば、
・ネットワーク最適化を実行した実行時刻、
・ネットワーク最適化を実行する実行予定時刻、
・ネットワーク最適化を行うタイミングを示す情報、
・ネットワーク最適化の周期、
などが考えられるが、これらに限定はされない。
【００３５】
４．効果
以上説明したように、隣接するセルをそれぞれ管理する無線局の間、無線局とネットワーク運用管理装置（ＳＯＮサーバ）との間、或は、ネットワーク運用管理装置（ＳＯＮサーバ）間で、最適化情報を交換することにより、自セルにおけるネットワーク最適化、つまり無線パラメータやネットワークパラメータの最適化を、隣接セルにおけるネットワーク最適化の状況などを考慮して実行することができる。
【００３６】
例えば、図２に示すシステムにおいて次のような事態を想定する。すなわち、ＳＯＮサーバＡが、セル１０ａからセル３０ａへのハンドオーバ失敗率を低下させるためにセル１０ａからセル３０ａへのハンドオーバの最適化を行おうとし、ＳＯＮサーバＢが、セル３０ａの負荷を低下させるためにセル３０ａからセル１０ａへのオフローディングを行おうとする。このとき、上述した実施形態によれば、最適化情報が無線局１０と３０との間で交換される。したがって、ＳＯＮサーバＢは、ＳＯＮサーバＡにおいてセル１０ａからセル３０ａへのハンドオーバの最適化を行おうとしていることを認識することができ、一方、ＳＯＮサーバＡは、ＳＯＮサーバＢにおいてセル３０ａからセル１０ａへのオフローディングを行おうとしていることを認識することができる。
【００３７】
互いに隣接セルにおける最適化の状況を認識しているので、ＳＯＮサーバＢは、一定の規則（たとえばハンドオーバの最適化を優先する等の規則）に従って、ＳＯＮサーバＡにおけるハンドオーバの最適化が完了するのを待ってから、セル３０ａからセル１０ａへのオフローディングを実行する等の適切な対応をとることができる。その結果、セル１０ａからセル３０ａへのハンドオーバ失敗率を低減させることができる。一方、ＳＯＮサーバＡにおけるハンドオーバの最適化が完了した後でも、ＳＯＮサーバＢにおいてセル３０ａからセル１０ａへのオフローディングが依然として必要であると判断された場合には、ＳＯＮサーバＢは当該オフローディングを実行することで、セル３０ａの負荷を軽減することができる。
【００３８】
このように、本発明の実施形態により、ＳＯＮサーバＡやＢが互いに独立にネットワーク最適化を実行することで最適化の制御が収束しない、あるいは期待する効果が得られないといった問題を解決することができる。その結果、システム全体で最適化を行うことができる。尚、最適化情報の通知又は交換は、同一システム内の無線局やネットワーク運用管理装置（ＳＯＮサーバ）のみでなく、異なるシステムの無線局やネットワーク運用管理装置（ＳＯＮサーバ）との間で行うようにしても良い。
【００３９】
なお、ハンドオーバの最適化をオフローディングよりも優先した理由としては、ハンドオーバ失敗の方が、呼切断やスループット低下に大きく影響することが予想される為である。しかしながら、これはあくまでも一例であり、互いに独立にネットワーク最適化を実行することで最適化の制御が収束しないとか期待する効果が得られないとかの問題を解消できる一定の規則であれば、これに制限はされない。
【００４０】
５．適用例
以下、上述した実施形態を３ＧＰＰ  ＬＴＥ（Long Term Evolution）の無線通信システムに適用した実施例について説明する。
【００４１】
図８に示すように、ＬＴＥ無線通信システムは、一例として、マクロ無線基地局（Macro eNB: MeNB）１１０および１２０と、ＭｅＮＢ１１０および１２０がそれぞれ管理するマクロセル（Macro cell）１１０ａおよび１２０ａと、ＭｅＮＢ１１０および１２０を管理するネットワーク運用管理装置（ＳＯＮサーバとも呼ぶ）１５０Ａと、ピコ無線基地局（Pico eNB: PeNB）１３０と、ＰｅＮＢ１３０が管理するピコセル（Pico cell）１３０ａと、ＰｅＮＢ１３０を管理するネットワーク運用管理装置（ＳＯＮサーバ）１５０Ｂと、を有し、さらに、ホーム無線基地局（Home eNB: HeNB）１６０と、ＨｅＮＢ１６０が管理するホームセル（Home cell）１６０ａと、ＨｅＮＢ１６０を管理するネットワーク運用管理装置（ＳＯＮサーバ）１５０Ｃと、コアネットワーク（Evolved Packet Core: EPC）１７０と、無線端末（User Equipment: UE）１４０と、が存在するものとする。ここで、ＭｅＮＢ１１０、１２０およびＰｅＮＢ１３０は、それぞれＸ２と呼ばれる直接インタフェースで接続されており、さらにコアネットワーク（ＥＰＣ）１７０ともＳ１と呼ばれるインタフェースで接続されている。一方、ＨｅＮＢ１６０は、ブロードバンド回線及びインターネット１８０を経由してコアネットワーク（ＥＰＣ）１７０に接続している。尚、ホーム無線基地局（ＨｅＮＢ）１６０はフェムト基地局（Femto eNB: FeNB）、ホームセル１６０ａはフェムトセル（Femto cell）とも呼ばれる。また、コアネットワーク（ＥＰＣ）１７０は、例えば、モビリティ管理装置（Mobility Management Entity: MME）、サービングゲートウェイ（Serving Gateway: S-GW）などを構成要素として含む。
【００４２】
上述したように、マクロ無線基地局（ＭｅＮＢ）１１０は、マクロセル（Macro Cell）１１０ａにおけるネットワーク最適化に関する第１の最適化情報を生成し、第１の最適化情報をマクロ無線基地局（ＭｅＮＢ）１２０やピコ無線基地局（ＰｅＮＢ）１３０に通知する（第１実施形態）。
また、ＭｅＮＢ１１０は、ＭｅＮＢ１２０やＰｅＮＢ１３０に、マクロセル１２０ａやピコセル１３０ａにおけるネットワーク最適化に関する第２の最適化情報を要求し、ＭｅＮＢ１２０やＰｅＮＢ１３０が第２の最適化情報をＭｅＮＢ１１０へ通知する（第２実施形態）。そして、ＭｅＮＢ１１０は、第２の最適化情報を基に、マクロセル１１０ａにおけるネットワーク最適化を実行する。ただし、当該要求は、オンデマンドでも良いし、周期的報告の要求でも良い。
【００４３】
あるいは、ＭｅＮＢ１１０が、ＭｅＮＢ１２０やＰｅＮＢ１３０に対し、イベントトリガによる第２の最適化情報の通知を要求し、ＭｅＮＢ１２０やＰｅＮＢ１３０において所定のイベント発生時（又は発生後）に第２の最適化情報を通知するようにしても良い（第３実施形態）。所定のイベントは予め規定されていても良いし、ＭｅＮＢ１１０が通知（つまり、指定）しても良い。又は、イベント発生後から所定周期で周期的に通知するようにしても良い。さらに、ＭｅＮＢ１１０が、自局を管理するネットワーク運用管理装置（ＳＯＮサーバ）１５０Ａに第２の最適化情報などを通知し、ＳＯＮサーバ１５０Ａが当該第２の最適化情報などを基にネットワーク最適化アルゴリズムを実行し、無線パラメータやネットワークパラメータを決定し、ＭｅＮＢ１１０へ通知し、ネットワーク最適化を実行するようにしても良い。
【００４４】
ここで、ＭｅＮＢ１１０、ＭｅＮＢ１２０およびＰｅＮＢ１３０の間の第１の最適化情報や第２の最適化情報の通知は、Ｘ２インタフェースを用いても良いし、Ｓ１インタフェースを用いても良い。さらに、第１の最適化情報や第２の最適化情報の通知手段は、Ｘ２やＳ１に限定はされない。例えば、ＭｅＮＢ１１０が、ブロードバンド回線およびＥＰＣ１７０を介してホーム無線基地局（ＨｅＮＢ）１６０に通知しても良いし、図示していないが異なるＨｅＮＢ間のインタフェース（Ｉｕｒ−ｈと呼ばれる）を用いて通知しても良い。さらに、本実施例は、第１の最適化情報や第２の最適化情報を、ネットワーク運用管理装置（ＳＯＮサーバ）が生成するようにしても良く、この場合、例えばＳＯＮサーバ１５０ＡとＳＯＮサーバ１５０Ｂとの間のインタフェースを用いて第１の最適化情報や第２の最適化情報を通知しても良い。ＭｅＮＢ１１０が、第１の最適化情報や第２の最適化情報をＸ２インタフェースを介して通知することで、ネットワークの最適化に起因するシステムの特性劣化を回避する効果が高まる。
【００４５】
ここで、第１の最適化情報あるいは第２の最適化情報には、上記３．１項で説明したように、「ネットワーク最適化の機能」の実行状況が「実行予定」、「実行中」あるいは「実行完了」であるか等の情報が含まれるようにしても良い。
【００４６】
さらに、第１の最適化情報又は第２の最適化情報が、ネットワーク最適化の種類（機能）に関する情報、ネットワーク最適化の目的に関する情報、ネットワーク最適化の制御ポリシに関する情報、最適化対象の無線パラメータやネットワークパラメータ、ネットワーク最適化を実行した実行時刻、ネットワーク最適化を実行する実行予定時刻、ネットワーク最適化を行うタイミングを示す情報、ネットワーク最適化の周期、無線基地局の位置情報、などを含むようにしても良い。
「ネットワーク最適化の種類」としては、例えば、
・カバレッジ最適化（Coverage Optimization）
・容量最適化（Capacity Optimization）
・カバレッジ及び容量の最適化（Coverage and Capacity Optimization: CCO）
・ハンドオーバ最適化（Mobility Robustness Optimization: MRO）
・負荷分散の最適化（Mobility Load Balancing: MLB）
・セルアウテージ補償（Cell Outage Compensation: COC）
・省電力化制御（Energy Saving Management: ESM）
・ランダムアクセス最適化（Random Access Channel Optimization: RAO）
・隣接セルリスト最適化（Automatic Neighbour Relation: ANR）
・セルＩＤ自動設定（Automated Configuration of Physical Cell Identity）
・セル間干渉低減（Inter Cell Interference Reduction）
などが考えられる。ここで、ＣＣＯは、カバレッジのみ、或は容量のみを最適化する場合、つまり、カバレッジ又は容量の最適化を行う場合にも用いても良い。
【００４７】
ネットワーク最適化の目的に関する情報や、ネットワーク最適化の制御ポリシに関する情報としては、例えば、上記３．２項ｂ）やｃ）に示した情報が考えられるが、それらに限定はされない。尚、ネットワーク最適化の目的に関する情報が、隣接セルへのハンドオーバの最適化である場合、どのようにハンドオーバの最適化を行おうとしているかを示す情報を通知するようにしても良い。例えば、非特許文献１で示されている、”Too Late Handover”、”Too Early Handover”および”Handover To Wrong Cell”のいずれを目的としているかを示す情報などが考えられる。
【００４８】
また、ネットワーク最適化の対象とする無線パラメータやネットワークパラメータとしては、例えば、
・無線基地局の送信電力、
・無線基地局のアンテナ角度（チルト（Tilt）やアジマス（Azimuth））、
・無線基地局で実際に信号を送受信するアンテナ数（Antenna Port数）、
・ハンドオーバ関連パラメータ、
・セル（再）選択関連パラメータ、
・隣接セルリスト（Neighbour Cell List: NCL）、
・共通チャネル送信パラメータ、
・共有チャネル送信パラメータ、
・制御チャネル送信パラメータ、
・セルのＯｎ／Ｏｆｆ切り替え、
などが考えられる。
【００４９】
無線基地局の送信電力は、例えば、セル共通参照信号（Common Reference Signal: CRS）、下り制御チャネル（Physical Downlink Control Channel: PDCCH）、下りデータチャネル（Physical Downlink Shared Channel: PDSCH）などの送信電力である。
ハンドオーバ関連パラメータは、例えば、端末測定情報（UE Measurement Report）の指示に用いられるパラメータ（例えば、CellIndividualOffset: CIOなどのセル個別オフセット値）、端末測定情報の報告判定に用いられるイベントのパラメータ（例えば、a１／a２／a４／a５-Thresholdなどの受信品質の閾値、a３-offsetなどのオフセット値、Time To Triggerなどの判定期間）などである。
セル（再）選択関連パラメータは、例えば、cellReselectionInfoCommon、cellReselectionServingFreqInfo、intraFreqCellReselectionInfo、などである。
共通チャネル送信パラメータは、例えば、システム情報（System Information Block: SIB）、ページング情報（Paging Channel: PCH）、などの送信パラメータである。
共有チャネル送信パラメータは、例えば、ランダムアクセスチャネル（Random  Access Channel: RACH）の送信パラメータである。
制御チャネル送信パラメータは、例えば、ＰＤＣＣＨ、上り制御チャネル（Physical Uplink Control Channel: PUCCH）の送信パラメータ、などである。
ここで、ＬＴＥのシステムにおいて、Ｘ２インタフェースを介して最適化情報を通信するメッセージとしては、例えば、Ｘ２インタフェース確立時（X2 Setup）のメッセージ（X2 SETUP REQUEST、X2 SETUP RESPONSE）、無線基地局の設定更新時（eNB Configuration Update）のメッセージ（ENB CONFIGURATION UPDATE、ENB CONFIGURATION UPDATE ACKNOWLEDGE）、隣接無線基地局のセルの起動要求時（Cell Activation）のメッセージ（CELL ACTIVATION REQUEST、CELL ACTIVATION RESPONSE）、負荷情報の通知時（Load Indication）のメッセージ（LOAD INFORMATION）、モビリティ関連のパラメータの設定変更（Mobility Settings Change）に関するメッセージ（MOBILITY CHANGE REQUEST、MOBILITY CHANGE ACKNOWLEDGE）、リソース状況報告時（Resource Status Reporting Initiation、Resource Status Reporting）のメッセージ（RESOURCE STATUS REQUEST、RESOURCE STATUS RESPONSE、RESOURCE STATUS UPDATE）、などが考えられる。しかし、これらに限定はされず、新たにメッセージを規定しても良いことは言うまでもない。
以下に、本発明をＬＴＥに適用した場合の実施例を示す。
【００５０】
５．１）第１実施例
本発明の第１実施例によれば、各無線基地局（ｅＮＢ）がネットワーク自己最適化（ＳＯＮ）の機能を実行する際に、他の無線基地局（ｅＮＢ）へ最適化情報（SON Function Information）を通知する。
【００５１】
図９において、まずＭｅＮＢ１１０の側でＳＯＮの機能の一つであるハンドオーバ最適化（ＭＲＯ）を実行するトリガがかかったものとする（動作４０１；Trigger and perform MRO）。ＭｅＮＢ１１０は、周辺のＰｅＮＢ１３０へ最適化情報として、例えばハンドオーバ最適化（ＭＲＯ）が実行中であることを通知する（動作４０２；SON Function Information (e.g. Performing MRO)）。尚、さらに詳細な情報として、マクロセル１１０ａで当該ハンドオーバ最適化を実行中であること、ピコセル１３０ａが当該ハンドオーバ最適化の適用対象（つまり、ハンドオーバ先のセル）であること、ハンドオーバ関連パラメータとしてセル個別オフセット（CellIndividualOffset: CIO）を最適化中であること、などを通知するようにしても良い。当該最適化情報を受けたＰｅＮＢ１３０は、ＭｅＮＢ１０のＭＲＯ処理に干渉しないような適切な対応をとる。例えば、所定期間の間、ハンドオーバ最適化（ＭＲＯ）を行わないようにする、又は、ネットワーク最適化（ＳＯＮ）の機能を行わないようにする、などの対応が考えられる。
【００５２】
一方、ＰｅＮＢ１３０の側でピコセル１３０ａにおいて負荷分散の最適化（ＭＬＢ）のトリガがかかった場合（動作４０３；Trigger MLB）、周辺のＭｅＮＢ１０へ最適化情報として、例えば負荷分散の最適化（ＭＬＢ）を実行予定であること、を通知する（動作４０４；SON Function Information(e.g. Will perform MLB)）。尚、さらに詳細な情報として、隣接セルへのオフローディングを目的としていること、当該負荷分散の最適化（ＭＬＢ）の実行予定時刻、などを通知するようにしても良い。そして、例えば実行予定時刻になった時点でハンドオーバ関連パラメータを更新し、負荷分散の最適化を実行する（動作４０５；Perform MLB）。当該最適化情報を受けたＭｅＮＢ１１０は、例えば、所定期間の間、ハンドオーバ最適化（ＭＲＯ）、負荷分散の最適化（ＭＬＢ）又はネットワーク最適化（ＳＯＮ）の機能の全て、を行わないようにする、などの対応をとることが考えられる。或は、ＰｅＮＢ１３０が、負荷分散の最適化（ＭＬＢ）の実行予定時刻を通知した場合、当該実行予定時刻を境に、通信品質統計値（Key Performance Indicator: KPI）の収集をリセットし、再開するようにしても良いし、当該実行予定時刻まで最適化の処理を中断し、当該実行予定時刻（又は、それ以降）に最適化の処理を再開するようにしても良い。
【００５３】
以上の動作により、周辺の無線基地局（ｅＮＢ）において、どのようなネットワーク最適化が行われているか、又は、行われる予定であるか、を考慮しつつ、各無線基地局（ｅＮＢ）又はネットワーク運用管理装置（ＳＯＮサーバ）が配下のセルの最適化処理等を適切に実行し、ネットワーク最適化を達成することができる。
【００５４】
なお、本実施例ではＭｅＮＢ１１０とＰｅＮＢ１３０との間で最適化情報を通知する例を説明したが、ＭｅＮＢ１１０が最適化情報（SON Function Information）を通知する先はＰｅＮＢ１３０に限定されないし、同様に、ＰｅＮＢ１３０が最適化情報（SON Function Information）を通知する先もＭｅＮＢ１１０に限定されない。また、ＭｅＮＢ１１０からＰｅＮＢ１３０へ通知する最適化情報（第１の最適化情報）、又は、ＰｅＮＢ１３０からＭｅＮＢ１１０へ通知する最適化情報（第２の最適化情報）に含まれる情報は、本実施例の説明で例示したものに限定されず、上述で示した第１の最適化情報および第２の最適化情報は全て対象とすることができる。
【００５５】
一方、ＭｅＮＢ１１０とＰｅＮＢ１３０がＸ２インタフェースの接続を確立していない場合でも、コアネットワーク（ＥＰＣ）１７０とのＳ１インタフェースを介して最適化情報を通知するようにすれば良い。或は、ＭｅＮＢ１１０を管理するネットワーク運用管理装置（ＳＯＮサーバ）１５０Ａと、ＰｅＮＢ１３０を管理するネットワーク運用管理装置（ＳＯＮサーバ）１５０Ｂとの間で最適化情報を通知しあうようにしても良い。
【００５６】
さらに、ネットワーク最適化は無線基地局（ｅＮＢ）自身が実行してもよいが、それに限定されるものではなく、例えばネットワーク運用管理装置（ＳＯＮサーバ）が最適化アルゴリズムを実行し、最適化を実行する無線基地局（ｅＮＢ）に対して無線パラメータやネットワークパラメータの更新の指示を行うようにしても良い。
【００５７】
５．２）第２実施例
本発明の第２実施例によれば、各無線基地局（ｅＮＢ）がネットワーク自己最適化（ＳＯＮ）の機能を実行する時に他の無線基地局（ｅＮＢ）へ最適化情報（SON Function Information）を通知し、最適化が完了した時に実行完了を通知する。
【００５８】
図１０において、まずＭｅＮＢ１１０においてＳＯＮの機能の一つであるハンドオーバ最適化（ＭＲＯ）を実行するトリガがかかったものとする（動作５０１；Trigger and perform MRO）。ＭｅＮＢ１１０は、周辺のＰｅＮＢ１３０へ最適化情報として、例えばハンドオーバ最適化（ＭＲＯ）を実行中であることを通知する（動作５０２；SON Function Information(e.g. Performing MRO)）。一方、当該通知を受けたＰｅＮＢ１３０がピコセル１３０ａにおいて負荷分散の最適化（ＭＬＢ）の必要性を検出した場合、負荷分散の為の処理を一時保留する（動作５０３；Suspend triggered MLB）。ＭｅＮＢ１１０は、ハンドオーバ最適化（ＭＲＯ）が完了すると（動作５０４；Completed MRO）、ＰｅＮＢ１３０に当該実行完了を通知する（動作５０５；SON Function Information(e.g. Completed MRO)）。ＰｅＮＢ１３０は、ＭｅＮＢ１１０からの実行完了通知を受けて、保留していた負荷分散の最適化を実行し（動作５０６；Perform MLB）、ＭｅＮＢ１１０へ最適化情報として負荷分散の最適化（ＭＬＢ）を実行中であることを通知する（動作５０７；SON Function Information(e.g. Performing MLB)）。そして、負荷分散の最適化（ＭＬＢ）が完了すると（動作５０８；Completed MLB）、ＭｅＮＢ１１０に当該実行完了を通知する（動作５０９；SON Function Information(e.g. Completed MLB)）。
【００５９】
以上の動作により、周辺の無線基地局（ｅＮＢ）において、どのようなネットワーク最適化が行われているか、又は、完了したかを考慮しつつ、各無線基地局（ｅＮＢ）又はネットワーク運用管理装置（ＳＯＮサーバ）で配下のセルの最適化などを適切に実行しネットワーク最適化を達成することができる。特に本実施例によれば、各無線基地局（ｅＮＢ）は、周辺の無線基地局（ｅＮＢ）で行われているネットワーク最適化が自局のセルを対象として実行されていることを知ると、周辺のｅＮＢが行うネットワーク最適化の完了を待つことで問題発生を回避する。すなわち、互いに相反する処理を行うことでシステム全体の特性が劣化したり、互いの制御により本来期待される効果を得られなかったりするなどの問題を回避することができる。
【００６０】
尚、第１実施例と同様に、本実施例においても、例えばネットワーク運用管理装置（ＳＯＮサーバ）が最適化アルゴリズムを実行し、最適化を実行する無線基地局（ｅＮＢ）に対して無線パラメータやネットワークパラメータの更新の指示を行うようにしてもよい。
【００６１】
５．３）第３実施例
本発明の第３実施例によれば、無線基地局（ｅＮＢ）が他の無線基地局（ｅＮＢ）へ最適化情報（SON Function Information）を要求し、当該要求を受けた無線基地局（ｅＮＢ）が最適化情報を報告する。ただし、必ずしも全ての無線基地局（ｅＮＢ）が当該要求を行わなくてもよい。
【００６２】
図１１において、まずＰｅＮＢ１３０においてＳＯＮの機能の一つであるハンドオーバ最適化（ＭＲＯ）を実行するトリガがかかり、実際にハンドオーバ最適化の処理を行っているものとする（動作６０１；Trigger and perform MRO）。ある時点で、ＭｅＮＢ１１０においてカバレッジ及び（又は）容量の最適化（ＣＣＯ）を実行するトリガがかかったものとする（動作６０２；Trigger and perform CCO）。このとき、ＭｅＮＢ１１０は、周辺のＭｅＮＢ１２０やＰｅＮＢ１３０に対して、オンデマンドの最適化情報の報告を要求する（動作６０３；SON Function Information Request (On-demand)）。尚、当該要求のメッセージに、自局（ＭｅＮＢ１０）の最適化情報を含めても良いし（Optionally including SON Function Information）、別のメッセージとして最適化情報を通知しても良い。また、さらに詳細な情報として、マクロセル１１０ａで当該カバレッジ及び（又は）容量の最適化を実行中であること、カバレッジを拡大中であること、最適化中の無線パラメータとして参照信号（Reference Signal）の送信電力を調整（例えば、送信電力の増加）していること、最適化中のネットワークパラメータとしてアンテナチルト角を調整（例えば、アップチルト）していること、などを通知するようにしても良い。これに対して、ＭｅＮＢ１２０は、ネットワーク最適化を行っていないので何も報告しない、或は、ネットワーク最適化を行っていないことを示す情報を報告する（動作６０４；SON Function Information Request Response(e.g. “None”)）。尚、ネットワーク最適化を行っていないことを示す情報は、フラグを用いて示しても良いし、その他の方法で示しても良い。一方、ＰｅＮＢ１３０は、ピコセル１３０ａにおいて、ハンドオーバ最適化（ＭＲＯ）を実行中であるので、ＭｅＮＢ１１０にハンドオーバ最適化を実行中であることを報告する（動作６０５；SON Function Information Request Response(e.g. Performing MRO)）。このとき、ＰｅＮＢ１３０からＭｅＮＢ１１０への当該報告メッセージは、最適化情報（SON Function Information）でも良いし、最適化情報と異なる形態の情報であっても良い。
【００６３】
こうして周辺ｅＮＢ（例えば、ＰｅＮＢ１３０）からの応答（例えば、最適化情報の通知）があると、ＭｅＮＢ１１０は、ＰｅＮＢ１３０でのハンドオーバ最適化（ＭＲＯ）の実行が完了するのを所定の期間待って、マクロセル１１０ａのカバレッジ及び（又は）容量の最適化（ＣＣＯ）を実行する、或は、マクロセル１１０ａのＣＣＯを保守的（つまり、大きく変更せずに控えめに）行う、などの動作を実行することが考えられる。一方、反対に、ＰｅＮＢ１３０がＭｅＮＢ１１０からカバレッジ及び（又は）容量の最適化を実行していることを通知された時点で、ピコセル１３０ａにおけるハンドオーバ最適化（ＭＲＯ）を所定の期間中断するようにしても良い。
【００６４】
以上の動作により、周辺の無線基地局（ｅＮＢ）において、どのようなネットワーク最適化が行われているか、又は、行われる予定であるか、を考慮しつつ、各無線基地局（ｅＮＢ）又はネットワーク運用管理装置（ＳＯＮサーバ）が配下のセルの最適化などを適切に実行しネットワーク最適化を達成することができる。
【００６５】
尚、ＭｅＮＢ１１０からＰｅＮＢ１３０へ通知する最適化情報（第１の最適化情報）、又は、ＰｅＮＢ１３０からＭｅＮＢ１１０へ通知する最適化情報（第２の最適化情報）に含まれる情報は、本実施例の説明で例示したものに限定されず、上述で示した第１の最適化情報および第２の最適化情報は全て対象とすることができる。
【００６６】
また、ＭｅＮＢ１１０、ＭｅＮＢ１２０およびＰｅＮＢ１３０がＸ２インタフェースの接続を確立していない場合は、コアネットワーク（ＥＰＣ）７０とのＳ１インタフェースを介して最適化情報を通知するようにすれば良い。或は、ＭｅＮＢ１１０を管理するネットワーク運用管理装置（ＳＯＮサーバ）１５０Ａと、ＰｅＮＢ３０を管理するネットワーク運用管理装置（ＳＯＮサーバ）１５０Ｂとの間で最適化情報を通知しあうようにしても良い。
【００６７】
尚、第１実施例と同様に、本実施例においても、例えばネットワーク運用管理装置（ＳＯＮサーバ）が最適化アルゴリズムを実行し、最適化を実行する無線基地局（ｅＮＢ）に対して無線パラメータやネットワークパラメータの更新の指示を行うようにしてもよい。
【００６８】
５．４）第４実施例
本発明の第４実施例によれば、無線基地局（ｅＮＢ）が他の無線基地局（ｅＮＢ）へ最適化情報（SON Function Information）を要求し、当該要求を受けた無線基地局（ｅＮＢ）は、自局において所定の条件が満たされた時（ここでは所定のイベントが発生した時）、最適化情報を報告する。尚、本実施例における所定のイベントとは何らかのネットワーク最適化のトリガがかかったことをいうものとする。
【００６９】
図１２において、ある時点で、ＭｅＮＢ１１０においてカバレッジ及び（又は）容量の最適化（ＣＣＯ）を実行するトリガがかかったものとする（動作７０１；Trigger and perform CCO））。このとき、ＭｅＮＢ１１０は、周辺のＭｅＮＢ１２０やＰｅＮＢ１３０に、イベントトリガの（つまり、所定のイベント発生時にトリガがかかる）最適化情報の報告を要求する（動作７０２；SON Function Information Request(Event-trigger)）。尚、当該要求のメッセージに自局（ＭｅＮＢ１１０）の最適化情報を含めても良いし（Optionally including SON Function Information）、別のメッセージとして最適化情報を通知しても良い。また、さらに詳細な情報として、例えば、マクロセル１１０ａで当該カバレッジ及び（又は）容量の最適化を実行中であること、カバレッジを縮小していること、最適化中の無線パラメータとして参照信号（Reference Signal）の送信電力を調整（例えば、送信電力の低減）していること、最適化中のネットワークパラメータとしてアンテナチルト角を調整（例えば、ダウンチルト）していること、などを通知するようにしても良い。
【００７０】
ここで、別のある時点でＰｅＮＢ１３０におけるカバレッジ及び（又は）容量の最適化（ＣＣＯ）のトリガがかかったものとする（動作７０３）。ＰｅＮＢ１３０は、所定のイベント（つまりネットワーク最適化のトリガ）が発生したので、ＭｅＮＢ１１０に対して最適化情報を報告する（動作７０４；SON Function Information(e.g. Performing CCO)）。また、最適化情報として、例えば、ピコセル１３０ａにおいて当該カバレッジ及び（又は）容量の最適化を実行中であること、カバレッジを拡大していること、などを通知するようにしても良い。尚、当該報告に用いるメッセージが、第２実施例におけるSON Function Information Request Responseでも良い。そして、ＰｅＮＢ１３０は、ＭｅＮＢ１１０におけるカバレッジ及び（又は）容量の最適化（ＣＣＯ）を考慮しつつ、ピコセル１３０ａにおいてカバレッジ及び（又は）容量の最適化（ＣＣＯ）を実行する。
【００７１】
以上の動作により、周辺の無線基地局（ｅＮＢ）において、どのようなネットワーク最適化が行われているか、又は、行われる予定であるか、を考慮しつつ、各無線基地局（ｅＮＢ）又はネットワーク運用管理装置（ＳＯＮサーバ）が配下のセルの最適化などを適切に実行しネットワーク最適化を達成することができる。
【００７２】
尚、ＭｅＮＢ１１０からＭｅＮＢ１２０やＰｅＮＢ１３０へ通知する最適化情報（第１の最適化情報）、又は、ＰｅＮＢ１３０からＭｅＮＢ１１０へ通知する最適化情報（第２の最適化情報）に含まれる情報は、本実施例の説明で例示したものに限定されず、上述で示した第１の最適化情報および第２の最適化情報は全て対象とすることができる。
【００７３】
また、ＭｅＮＢ１１０、ＭｅＮＢ１２０およびＰｅＮＢ１３０がＸ２インタフェースの接続を確立していない場合には、コアネットワーク（ＥＰＣ）１７０とのＳ１インタフェースを介して最適化情報を通知するようにすれば良い。或は、ＭｅＮＢ１１０を管理するネットワーク運用管理装置（ＳＯＮサーバ）１５０Ａと、ＰｅＮＢ１３０を管理するネットワーク運用管理装置（ＳＯＮサーバ）１５０Ｂとの間で最適化情報を通知しあうようにしても良い。
【００７４】
尚、第１実施例と同様に、本実施例においても、例えばネットワーク運用管理装置（ＳＯＮサーバ）が最適化アルゴリズムを実行し、最適化を実行する無線基地局（ｅＮＢ）に対して無線パラメータやネットワークパラメータの更新の指示を行うようにしてもよい。
【００７５】
５．５）その他の実施例
上述した各実施例では、図８に示すようにＬＴＥの無線通信システムを想定して説明を行ったが、本発明は、ＬＴＥにおけるホーム無線基地局（Home eNB: HeNBあるいは小規模無線基地局（Femto eNB: FeNB）とも呼ぶ）にも適用は可能である。この場合、無線基地局（ｅＮＢ）間のＸ２インタフェースや無線基地局（ｅＮＢ）とコアネットワーク（ＥＰＣ）との間のＳ１インタフェースの代わりに、ホーム無線基地局（ＨｅＮＢ）間のＸ２インタフェース、ホーム無線基地局（ＨｅＮＢ）とホーム無線基地局ゲートウェイ（ＨｅＮＢ  ＧＷ）間のＳ１インタフェース、などを用いる。また、ＲＩＭ（RAN Information Management）のプロセスを流用しても良い。
【００７６】
さらに、本発明は３ＧＰＰ  ＵＭＴＳ（Universal Mobile Telecommunications System）にも適用可能である。ＵＭＴＳの場合、ＬＴＥにおけるＸ２インタフェースやＳ１インタフェースの代わりに、無線基地局（ＮＢ）と基地局制御局（Radio Network Controller:RNC）間のＩｕｂインタフェース、基地局制御局（ＲＮＣ）とコアネットワーク（Core Network: CN）間のＩｕインタフェース、基地局制御局（ＲＮＣ）間のＩｕｒインタフェース、ホーム無線基地局（ＨＮＢ）間のＩｕｒ−ｈインタフェース、ホーム無線基地局（ＨＮＢ）とホーム無線基地局ゲートウェイ（ＨＮＢ  ＧＷ）間のＩｕｈインタフェース、などを用いる。
【００７７】
また、本発明は３ＧＰＰ２  ＣＤＭＡ（Code Division Multiple Access）２０００系（例えば、CDMA １x EV-DO: Evolution Data Only、1xRTT: Single-Carrier Radio Transmission Technology、HRPD: High Rate Packet Data）、ＧＳＭ（Global System for Mobile communications）にも適用可能である。ＣＤＭＡ２０００系の場合、ＬＴＥにおけるＸ２インタフェースやＳ１インタフェースの代わりに、ＬＴＥのコアネットワーク（ＥＰＣ）とＣＤＭＡ１ｘのコアネットワークとのインタフェースであるＳ１０１、Ｓ１０２インタフェースなどを用いたり、ＬＴＥのｅＮＢとＣＤＭＡのＢＳＣ（Base Station Controller）間の直接インタフェースを確立して当該インタフェースを用いたりしても良い。ＧＳＭの場合、Ｉｕｒ−ｇインタフェースを用いる。さらに、本発明は、ＷｉＭＡＸ（Worldwide interoperability for Microwave Access）などにも適用可能である。
【産業上の利用可能性】
【００７８】
本発明はＳＯＮ機能を有する無線通信システム、たとえば３ＧＰＰ  ＬＴＥ、３ＧＰＰ  ＵＭＴＳ、３ＧＰＰ２  ＣＤＭＡ２０００系、ＧＳＭ、ＷｉＭＡＸなどのシステムに適用可能である。
【符号の説明】
【００７９】
１０，２０、３０、６０  無線局、無線基地局
１０ａ，２０ａ，３０ａ  ６０ａ  セル
１１  無線受信器
１２  復調部
１３  送信部
１４  受信部
１５  制御部
１６  信号生成部
１７  無線送信器
１８  最適化部
５０  ネットワーク運用管理装置（ＳＯＮサーバ）
５１  受信部
５２  ネットワーク監視部
５３  最適化制御部
５４  送信部
【図１】
2013136812.tif 000003
【図２】
2013136812.tif 000004
【図３】
2013136812.tif 000005
【図４】
2013136812.tif 000006
【図５】
2013136812.tif 000007
【図６】
2013136812.tif 000008
【図７】
2013136812.tif 000009
【図８】
2013136812.tif 000010
【図９】
2013136812.tif 000011
【図１０】
2013136812.tif 000012
【図１１】
2013136812.tif 000013
【図１２】
2013136812.tif 000014
【手続補正書】
【提出日】平成25年7月26日(2013.7.26)
【手続補正１】
【補正対象書類名】特許請求の範囲
【補正対象項目名】全文
【補正方法】変更
【補正の内容】
【特許請求の範囲】
【請求項１】
複数の無線局と前記無線局を管理するネットワーク運用管理装置とを有し、ネットワーク最適化を行う無線通信システムであって、
第１の無線局が、当該第１の無線局のセルにおけるネットワーク最適化に関する第１の最適化情報を前記第１の無線局とは別の第２の無線局、前記第２の無線局を管理するネットワーク運用管理装置の少なくとも１つへ通知する、ことを特徴とする無線通信システム。
【請求項２】
前記第２の無線局又は前記ネットワーク運用管理装置が前記第１の無線局に対して前記第１の最適化情報の通知を要求し、当該通知要求に応じて、前記第１の無線局が前記第１の最適化情報を前記第２の無線局又は前記ネットワーク運用管理装置へ通知する、ことを特徴とする請求項１に記載の無線通信システム。
【請求項３】
（削除）
【請求項４】
前記第１の最適化情報は、ネットワーク最適化の種類に関する情報を含むことを特徴とする請求項１−３のいずれか１項に記載の無線通信システム。
【請求項５】
前記ネットワーク最適化の種類は、カバレッジ最適化、容量最適化、カバレッジ及び容量の最適化、ハンドオーバ最適化、負荷分散の最適化、セルアウテージ補償、省電力化制御、ランダムアクセス最適化、隣接セルリスト最適化、セルＩＤ自動設定、セル間干渉低減、の少なくとも１つであることを特徴とする請求項４に記載の無線通信システム。
【請求項６】
前記第１の最適化情報には、前記第１の無線局のセルにおけるネットワーク最適化の実行状況に関する情報が含まれる、ことを特徴とする請求項１−５のいずれか１項に記載の無線通信システム。
【請求項７】
前記第１の最適化情報は、ネットワーク最適化の目的に関する情報を含むことを特徴とする請求項１−６のいずれか１項に記載の無線通信システム。
【請求項８】
前記ネットワーク最適化の目的は、特定の隣接セルに対するハンドオーバの最適化、複数の隣接セルに対するハンドオーバの最適化、隣接セルへのオフローディング、隣接セルからのオフローディング、カバレッジ最大化、カバレッジ拡大、カバレッジ縮小、不感地の解消、セル間干渉対策、および、部分的周波数再利用の少なくとも１つであることを特徴とする請求項７に記載の無線通信システム。
【請求項９】
前記第１の最適化情報はネットワーク最適化の制御ポリシに関する情報を含むことを特徴とする請求項１−８のいずれか１項に記載の無線通信システム。
【請求項１０】
前記ネットワーク最適化の制御ポリシに関する情報は、長周期の最適化、短周期の最適化、所定の条件を満足したことをトリガとする最適化の少なくとも１つを含むことを特徴とする請求項９に記載の無線通信システム。
【請求項１１】
前記ネットワーク最適化の制御ポリシに関する情報は、複数のネットワーク最適化の種類の間の優先順位、各ネットワーク最適化の種類の優先度あるいは各ネットワーク最適化の種類の重要度、最適化モード、の少なくとも１つを含むことを特徴とする請求項９または１０に記載の無線通信システム。
【請求項１２】
前記第１の最適化情報は、ネットワーク最適化の実行タイミングに関する情報を含むことを特徴とする請求項１−１１のいずれか１項に記載の無線通信システム。
【請求項１３】
前記ネットワーク最適化の実行タイミングに関する情報は、ネットワーク最適化を実行した実行時刻、ネットワーク最適化を実行する実行予定時刻、ネットワーク最適化を行うタイミングを示す情報、ネットワーク最適化の周期の少なくとも１つを含むことを特徴とする請求項１２に記載の無線通信システム。
【請求項１４】
前記第１の最適化情報は最適化対象の無線パラメータやネットワークパラメータを含む請求項１−１３のいずれか１項に記載の無線通信システム。
【請求項１５】
前記第２の無線局は、前記第１の無線局から受信した前記第１の最適化情報を考慮して、自局のセルにおけるネットワーク最適化の実行を制御する、ことを特徴とする請求項１−１４のいずれか１項に記載の無線通信システム。
【請求項１６】
前記第１の無線局と前記第２の無線局とがそれぞれ異なるネットワーク運用管理装置により管理され、当該異なるネットワーク運用管理装置間で、前記第１の最適化情報又は前記第２の最適化情報を通信することを特徴とする請求項１−１５のいずれか１項に記載の無線通信システム。
【請求項１７】
前記無線局が、無線基地局、基地局制御局あるいはネットワーク装置のいずれかであることを特徴とする請求項１−１６のいずれか１項に記載の無線通信システム。
【請求項１８】
複数の無線局と前記無線局を管理するネットワーク運用管理装置とを有しネットワーク最適化を行う無線通信システムにおける無線局であって、
自無線局のセルにおけるネットワーク最適化を実行するための最適化手段と、
前記ネットワーク最適化に関する最適化情報を他の無線局、自無線局を管理するネットワーク運用管理装置、前記他の無線局を管理するネットワーク運用管理装置の少なくとも１つへ通知する通知制御手段と、
を有することを特徴とする無線局。
【請求項１９】
前記通知制御手段は、前記他の無線局、前記自無線局を管理するネットワーク運用管理装置、前記他の無線局を管理するネットワーク運用管理装置のいずれかから前記最適化情報の通知要求を受けると、当該通知要求に応じて、少なくとも当該通知要求の送信元へ前記最適化情報を通知する、ことを特徴とする請求項１８に記載の無線局。
【請求項２０】
前記最適化情報は、ネットワーク最適化の種類に関する情報を含むことを特徴とする請求項１８または１９に記載の無線局。
【請求項２１】
前記ネットワーク最適化の種類は、カバレッジ最適化、容量最適化、カバレッジ及び容量の最適化、ハンドオーバ最適化、負荷分散の最適化、セルアウテージ補償、省電力化制御、ランダムアクセス最適化、隣接セルリスト最適化、セルＩＤ自動設定、セル間干渉低減、の少なくとも１つであることを特徴とする請求項２０に記載の無線局。
【請求項２２】
前記最適化情報には、当該無線局のセルにおけるネットワーク最適化の実行状況に関する情報が含まれる、ことを特徴とする請求項１８−２１のいずれか１項に記載の無線局。
【請求項２３】
前記最適化情報は、ネットワーク最適化の目的に関する情報を含むことを特徴とする請求項１８−２２のいずれか１項に記載の無線局。
【請求項２４】
前記ネットワーク最適化の目的は、特定の隣接セルに対するハンドオーバの最適化、複数の隣接セルに対するハンドオーバの最適化、隣接セルへのオフローディング、隣接セルからのオフローディング、カバレッジ最大化、カバレッジ拡大、カバレッジ縮小、不感地の解消、セル間干渉対策、および、部分的周波数再利用のいずれかであることを特徴とする請求項２３に記載の無線局。
【請求項２５】
前記最適化情報はネットワーク最適化の制御ポリシに関する情報を含むことを特徴とする請求項１８−２４のいずれか１項に記載の無線局。
【請求項２６】
前記最適化情報は、ネットワーク最適化の実行タイミングに関する情報を含むことを特徴とする請求項１８−２５のいずれか１項に記載の無線局。
【請求項２７】
前記最適化情報は最適化対象の無線パラメータやネットワークパラメータを含む請求項１８〜２６のいずれか１項に記載の無線局。
【請求項２８】
複数の無線局と前記無線局を管理するネットワーク運用管理装置とを有しネットワーク最適化を行う無線通信システムにおける無線局であって、
自無線局とは別の無線局から当該別の無線局のセルにおけるネットワーク最適化に関する最適化情報を受信する通信手段と、
自無線局のセルにおけるネットワーク最適化を実行する最適化制御手段と、
を有することを特徴とする無線局。
【請求項２９】
前記通信手段は、前記別の無線局又は前記別の無線局を管理するネットワーク運用管理装置へ前記最適化情報の通知を要求し、当該通知要求に応じて前記最適化情報を受信する、ことを特徴とする請求項２８に記載の無線局。
【請求項３０】
（削除）
【請求項３１】
前記最適化情報は、ネットワーク最適化の種類に関する情報を含むことを特徴とする請求項２８−３０のいずれか１項に記載の無線局。
【請求項３２】
前記ネットワーク最適化の種類は、カバレッジ最適化、容量最適化、カバレッジ及び容量の最適化、ハンドオーバ最適化、負荷分散の最適化、セルアウテージ補償、省電力化制御、ランダムアクセス最適化、隣接セルリスト最適化、セルＩＤ自動設定、セル間干渉低減、の少なくとも１つであることを特徴とする請求項３１に記載の無線局。
【請求項３３】
前記最適化情報には、当該無線局のセルにおけるネットワーク最適化の実行状況に関する情報が含まれる、ことを特徴とする請求項２８−３２のいずれか１項に記載の無線局。
【請求項３４】
前記最適化情報は、ネットワーク最適化の目的に関する情報を含むことを特徴とする請求項２８−３３のいずれか１項に記載の無線局。
【請求項３５】
前記ネットワーク最適化の目的は、特定の隣接セルに対するハンドオーバの最適化、複数の隣接セルに対するハンドオーバの最適化、隣接セルへのオフローディング、隣接セルからのオフローディング、カバレッジ最大化、カバレッジ拡大、カバレッジ縮小、不感地の解消、セル間干渉対策、および、部分的周波数再利用のいずれかであることを特徴とする請求項３４に記載の無線局。
【請求項３６】
前記最適化情報はネットワーク最適化の制御ポリシに関する情報を含むことを特徴とする請求項２８−３５のいずれか１項に記載の無線局。
【請求項３７】
前記最適化情報は、ネットワーク最適化の実行タイミングに関する情報を含むことを特徴とする請求項２８−３６のいずれか１項に記載の無線局。
【請求項３８】
前記最適化情報は最適化対象の無線パラメータやネットワークパラメータを含む請求項２８−３７のいずれか１項に記載の無線局。
【請求項３９】
前記最適化制御手段は、前記別の無線局から受信した前記最適化情報を考慮して、自無線局のセルにおけるネットワーク最適化を実行する、ことを特徴とする請求項２８−３８のいずれか１項に記載の無線局。
【請求項４０】
複数の無線局からなるネットワークの最適化を行う無線通信システムにおけるネットワーク運用管理装置であって、
少なくとも第１の無線局における通信状態を監視するネットワーク監視手段と、
第１の無線局のセルにおけるネットワーク最適化に関する第１の最適化情報を通信する通信手段と、
少なくとも前記第１の無線局における前記ネットワーク最適化を制御する最適化制御手段と、
を有することを特徴とするネットワーク運用管理装置。
【請求項４１】
前記第１の最適化情報を、前記第１の無線局、前記第１の無線局とは別の第２の無線局、他のネットワーク運用管理装置の少なくとも１つへ通知する、ことを特徴とする請求項４０に記載のネットワーク運用管理装置。
【請求項４２】
最適化制御手段は前記第１の最適化情報に基づいてネットワーク最適化のための無線パラメータ又はネットワークパラメータを決定し、前記パラメータを制御情報として前記第２の無線局へ通知する、ことを特徴とする請求項４０又は４１に記載のネットワーク運用管理装置。
【請求項４３】
複数の無線局と前記無線局を管理するネットワーク運用管理装置とを有し、ネットワーク最適化を行う無線通信システムにおけるネットワーク最適化方法であって、
第１の無線局が、当該第１の無線局のセルにおけるネットワーク最適化に関する第１の最適化情報を、前記第１の無線局とは別の第２の無線局、自無線局を管理するネットワーク運用管理装置、前記第２の無線局を管理するネットワーク運用管理装置の少なくとも１つへ通知する、
ことを特徴とするネットワーク最適化方法。
【国際調査報告】
2013136812.tif 000015
2013136812.tif 000016
2013136812.tif 000017
2013136812.tif 000018
2013136812.tif 000019
2013136812.tif 000020
2013136812.tif 000021
2013136812.tif 000022
2013136812.tif 000023
2013136812.tif 000024
2013136812.tif 000025
2013136812.tif 000026
2013136812.tif 000027